(57)【要約】【課題】表面や裏面に着色を施さない場合であっても、存在感のある外観を呈する透明合成樹脂製のクリップ部を備えた筆記具を提供する。【解決手段】本発明の筆記具１は、キャップまたは筆記具本体からなる筒体２の外面に軸方向に延びるクリップ部３を設ける。クリップ部３が無色透明の合成樹脂からなる。クリップ部３の表面が、凸曲面状の頂部３１と、該頂部３１の両側に連設され且つ径方向内方に向かうに従い互いに離隔する傾斜面３２とを備える。クリップ部３の裏面がフラット面３３を備える。クリップ部３の表面及びクリップ部３の裏面を光沢面とする。裏面のフラット面３３と表面の傾斜面３２とのなす角度α,βを９０度未満に設定する。筒体２の外面が着色される。【選択図】  図２
2009107253.tif 000002
【特許請求の範囲】
【請求項１】
キャップまたは筆記具本体からなる筒体の外面に軸方向に延びるクリップ部を設けた筆記具であって、
前記クリップ部が無色透明の合成樹脂からなり、前記クリップ部の表面が、凸曲面状の頂部と、該頂部の両側に連設され且つ径方向内方に向かうに従い互いに離隔する傾斜面とを備え、前記クリップ部の裏面がフラット面を備えたことを特徴とする筆記具。
【請求項２】
前記クリップ部の表面及び前記クリップ部の裏面を光沢面とした請求項１記載の筆記具。
【請求項３】
前記裏面のフラット面と前記表面の傾斜面とのなす角度を９０度未満に設定した請求項２記載の筆記具。
【請求項４】
前記裏面のフラット面と前記表面の傾斜面とのなす角度を８０度以下に設定した請求項２記載の筆記具。
【請求項５】
前記筒体の外面が着色されてなる請求項３または４記載の筆記具。
【請求項６】
キャップまたは筆記具本体からなる筒体の外面に軸方向に延びるクリップ部を設けた筆記具であって、
前記クリップ部が無色透明の合成樹脂からなり、前記クリップ部の横断面が略三角形状を有し、前記クリップ部の表面が、凸曲面状の頂部と、該頂部の両側に連設され且つ径方向内方に向かうに従い互いに離隔するテーパ状平面よりなる傾斜面とを備え、前記クリップ部の裏面がフラット面を備え、前記裏面のフラット面と前記表面の傾斜面とのなす角度を８０度以下に設定し、前記クリップ部の表面及び前記クリップ部の裏面を光沢面とし、前記筒体の外面が着色されてなることを特徴とする筆記具。
【請求項７】
キャップまたは筆記具本体からなる筒体の外面に軸方向に延びるクリップ部を設けた筆記具であって、
前記クリップ部が無色透明の合成樹脂からなり、前記クリップ部の横断面が略半月形状を有し、前記クリップ部の表面が、凸曲面状の頂部と、該頂部の両側に連設され且つ径方向内方に向かうに従い互いに離隔する凸曲面状の傾斜面とを備え、前記クリップ部の裏面がフラット面を備え、前記裏面のフラット面と前記表面の傾斜面とのなす角度を９０度未満に設定し、前記クリップ部の表面及び前記クリップ部の裏面を光沢面とし、前記筒体の外面が着色されてなることを特徴とする筆記具。
【請求項８】
キャップまたは筆記具本体からなる筒体の外面に軸方向に延びるクリップ部を設けた筆記具であって、
前記クリップ部が無色透明の合成樹脂からなり、前記クリップ部の横断面が略釣鐘形状を有し、前記クリップ部の表面が、凸曲面状の頂部と、該頂部の両側に連設され且つ径方向内方に向かうに従い互いに離隔する凹曲面状の傾斜面とを備え、前記クリップ部の裏面がフラット面を備え、前記裏面のフラット面と前記表面の傾斜面とのなす角度を８０度以下に設定し、前記クリップ部の表面及び前記クリップ部の裏面を光沢面とし、前記筒体の外面が着色されてなることを特徴とする筆記具。
【発明の詳細な説明】
【技術分野】
【０００１】
本発明は、クリップ部を備えた筆記具に関する。詳細には、キャップまたは筆記具本体からなる筒体の外面に軸方向に延びるクリップ部を設けた筆記具に関する。
【背景技術】
【０００２】
従来、筆記具のクリップにおいて、例えば、特許文献１には、クリップが透明の合成樹脂成形品よりなり、クリップ裏面の表示部を、クリップ表面から透視可能にすることが記載されている。また、前記特許文献１には、クリップの表面を、レンズ効果を呈する曲面にすることが記載されている。
【０００３】
【特許文献１】実開平７−１２２８９号明細書
【発明の開示】
【発明が解決しようとする課題】
【０００４】
前記特許文献１のクリップは、裏面の表示を透視可能にするために略板状に形成されている。前記従来のクリップは、正面から見たときの透明感は得られるとしても、クリップの表面または裏面に表示等の着色を施さない場合、存在感のない外観を呈することになる。
【０００５】
本発明は、前記従来の問題点を解決するものであって、表面や裏面に着色を施さない場合であっても、存在感のある外観を呈する透明合成樹脂製のクリップ部を備えた筆記具を提供しようとするものである。
【０００６】
尚、本発明において、「前」とはクリップ部の玉部側を指し、「後」とはクリップ部の基部側を指す。また、本発明において、「径方向内方」とは、クリップ表面から筒体に向かう方向を指す。
【課題を解決するための手段】
【０００７】
本願の第１の発明は、キャップまたは筆記具本体からなる筒体２の外面に軸方向に延びるクリップ部３を設けた筆記具であって、前記クリップ部３が無色透明の合成樹脂からなり、前記クリップ部３の表面が、凸曲面状の頂部３１と、該頂部３１の両側に連設され且つ径方向内方に向かうに従い互いに離隔する傾斜面３２とを備え、前記クリップ部３の裏面がフラット面３３を備えたこと（請求項１）を要件とする。（図１乃至図５参照）
【０００８】
前記第１の発明の筆記具１は、前記クリップ部３の表面が、凸曲面状の頂部３１と、該頂部３１の両側に連設され且つ径方向内方に向かうに従い互いに離隔する傾斜面３２とを備え、前記クリップ部３の裏面がフラット面３３を備えた構成により、クリップ部３を正面視したとき（即ちクリップ部３を正面から見たとき）、クリップ部３の頂部の両側（即ち一対の傾斜面３２）に、光の反射及び屈折によって、一対の軸方向に延びる帯状の鏡面光沢Ｓを視認できる（図１参照・斜線部分は帯状の鏡面光沢Ｓを示す）。それにより、表面や裏面に着色を施さない場合であっても、存在感のある外観を呈する透明合成樹脂製のクリップ部３を得る。尚、本願発明と異なる構成（例えば、図６に示すように、クリップ部の頂部４を角状とした場合や、図７に示すように、クリップ部の頂部５を平面状とした場合）では、クリップ部３を正面視したとき、クリップ部３の頂部３１の両側に帯状の鏡面光沢Ｓを視認できない。
【０００９】
尚、前記第１の発明で、前記傾斜面３２は、例えば、テーパ状平面（図３参照）、凸曲面（図４参照）、または凹曲面（図５参照）が挙げられる。
【００１０】
本願の第２の発明は、前記第１の発明において、前記クリップ部３の表面及び裏面を光沢面（または平滑面）としたこと(請求項２)を要件とする。（図１乃至図５参照）
【００１１】
前記第２の発明の筆記具１は、クリップ部３を正面視したとき、クリップ部３の頂部３１の両側に明確な帯状の鏡面光沢Ｓが視認できる。もし、クリップ部３の表面または裏面を粗面または梨地面とした場合、十分な光の反射及び屈折が得られず、クリップ部３の頂部３１の両側に明確な帯状の鏡面光沢Ｓが視認できない。
【００１２】
本願の第３の発明は、前記第２の発明において、前記裏面のフラット面３３と前記表面の傾斜面３２とのなす角度α,βを９０度未満に設定したこと（請求項３）を要件とする。（図１乃至図５参照）
【００１３】
前記第３の発明の筆記具１は、クリップ部３を正面視したとき、クリップ部３の頂部３１の両側に、一層明確な帯状の鏡面光沢Ｓが視認できる。もし、裏面のフラット面３３と表面の傾斜面３２とのなす角度α,βが９０度以上の場合、クリップ部３の頂部３１の両側に、明確な帯状の鏡面光沢Ｓが視認できない。尚、前記裏面のフラット面３３と前記表面の傾斜面３２とのなす角度α,βとは、傾斜面３２が凸曲面または凹曲面の場合、傾斜面３２の内方端部（即ち頂部３１との反対側の端部）に接する接線と、裏面のフラット面３３とのなす角度をいう。前記裏面のフラット面３３と表面の傾斜面３２とのなす角度α,βは、帯状の鏡面光沢Ｓが容易に視認できる点で３０度以上が好ましい。
【００１４】
本願の第４の発明は、前記第２の発明において、前記裏面のフラット面３３と前記表面の傾斜面３２とのなす角度α,βを８０度以下に設定したこと（請求項４）を要件とする。
【００１５】
前記第４の発明の筆記具１は、クリップ部３を正面視したとき、クリップ部３の頂部３１の両側に、一層明確な帯状の鏡面光沢Ｓが視認できる。もし、裏面のフラット面３３と表面の傾斜面３２とのなす角度α,βが８０度を超える場合、クリップ部３の頂部３１の両側に、明確な帯状の鏡面光沢Ｓが視認できないおそれがある。尚、前記裏面のフラット面３３と前記表面の傾斜面３２とのなす角度α,βとは、傾斜面３２が凸曲面または凹曲面の場合、傾斜面３２の内方端部（即ち頂部３１との反対側の端部）に接する接線と、裏面のフラット面３３とのなす角度をいう。尚、前記裏面のフラット面３３と表面の傾斜面３２とのなす角度α,βは、帯状の鏡面光沢Ｓが容易に視認できる点で３０度以上が好ましい。
【００１６】
本願の第５の発明は、前記第３の発明または第４の発明において、前記筒体２の外面が着色されてなること（請求項５）を要件とする。
【００１７】
前記第５の発明の筆記具１は、クリップ部３を正面視したとき、無色透明のクリップ部３と、背部の着色された筒体２とのコントラストにより、クリップ部３の頂部３１の両側に、帯状の鏡面光沢Ｓが一層際立って視認される。もし、筒体２が無色透明の場合、無色透明のクリップ部３の頂部３１の両側に、帯状の鏡面光沢Ｓを容易に視認することができない。
【００１８】
本願の第６の発明は、キャップまたは筆記具本体からなる筒体２の外面に軸方向に延びるクリップ部３を設けた筆記具であって、前記クリップ部３が無色透明の合成樹脂からなり、前記クリップ部３の横断面が略三角形状を有し、前記クリップ部３の表面が、凸曲面状の頂部３１と、該頂部３１の両側に連設され且つ径方向内方に向かうに従い互いに離隔するテーパ状平面よりなる傾斜面３２とを備え、前記クリップ部３の裏面がフラット面３３を備え、前記裏面のフラット面３３と前記表面の傾斜面３２とのなす角度α,βを８０度以下（好ましくは７５度以下）に設定し、前記クリップ部３の表面及び前記クリップ部３の裏面を光沢面とし、前記筒体２の外面が着色されてなること（請求項６）を要件とする。（図１、図２、及び図３参照）
【００１９】
前記第６の発明の筆記具１は、クリップ部３の横断面が略三角形状を有し、クリップ部３の表面が、凸曲面状の頂部３１と、該頂部３１の両側に連設され且つ径方向内方に向かうに従い互いに離隔するテーパ状平面よりなる傾斜面３２とを備え、クリップ部３の裏面がフラット面３３を備えた構成により、クリップ部３を正面視したとき、クリップ部３の頂部３１の両側（即ち一対の傾斜面３２）に、光の反射及び屈折によって、一対の軸方向に延びる帯状の鏡面光沢Ｓを視認できる（図１参照・斜線部分は帯状の鏡面光沢Ｓを示す）。それにより、表面や裏面に着色を施さない場合であっても、存在感のある外観を呈する透明合成樹脂製のクリップ部３を得る。尚、本願発明と異なる構成（例えば、図６に示すように、クリップ部の頂部４を角状とした場合や、図７に示すように、クリップ部の頂部５を平面状とした場合）では、クリップ部３を正面視したとき、クリップ部３の頂部３１の両側に帯状の鏡面光沢Ｓを視認できない。
【００２０】
さらに、前記第６の発明の筆記具１は、前記裏面のフラット面３３と前記表面の傾斜面３２とのなす角度α,βを８０度以下に設定し、前記クリップ部３の表面及び前記クリップ部３の裏面を光沢面とし、前記筒体２の外面が着色されてなることにより、クリップ部３の頂部３１の両側に、一層明確な帯状の鏡面光沢Ｓが視認できる。尚、前記裏面のフラット面３３と表面の傾斜面３２とのなす角度α,βは、帯状の鏡面光沢Ｓが容易に視認できる点で３０度以上が好ましい。
【００２１】
本願の第７の発明は、キャップまたは筆記具本体からなる筒体２の外面に軸方向に延びるクリップ部３を設けた筆記具であって、前記クリップ部３が無色透明の合成樹脂からなり、前記クリップ部３の横断面が略半月形状を有し、前記クリップ部３の表面が、凸曲面状の頂部３１と、該頂部３１の両側に連設され且つ径方向内方に向かうに従い互いに離隔する凸曲面状の傾斜面３２とを備え、前記クリップ部３の裏面がフラット面３３を備え、前記裏面のフラット面３３と前記表面の傾斜面３２とのなす角度α,βを９０度未満に設定し、前記クリップ部３の表面及び前記クリップ部３の裏面を光沢面とし、前記筒体２の外面が着色されてなること（請求項７）を要件とする。（図１、図２、及び図４参照）
【００２２】
前記第７の発明の筆記具１は、クリップ部３が無色透明の合成樹脂からなり、クリップ部３の横断面が略半月形状を有し、クリップ部３の表面が、凸曲面状の頂部３１と、該頂部３１の両側に連設され且つ径方向内方に向かうに従い互いに離隔する凸曲面状の傾斜面３２とを備え、クリップ部３の裏面がフラット面３３を備えた構成により、クリップ部３を正面視したとき、クリップ部３の頂部３１の両側（即ち一対の傾斜面３２）に、光の反射及び屈折によって、一対の軸方向に延びる帯状の鏡面光沢Ｓを視認できる（図１参照・斜線部分は帯状の鏡面光沢Ｓを示す）。それにより、表面や裏面に着色を施さない場合であっても、存在感のある外観を呈する透明合成樹脂製のクリップ部３を得る。尚、本願発明と異なる構成（例えば、図６に示すように、クリップ部の頂部４を角状とした場合や、図７に示すように、クリップ部の頂部５を平面状とした場合）では、クリップ部３を正面視したとき、クリップ部３の頂部３１の両側に帯状の鏡面光沢Ｓを視認できない。
【００２３】
さらに、前記第７の発明の筆記具１は、前記裏面のフラット面３３と前記表面の傾斜面３２とのなす角度α,βを９０度未満に設定し、前記クリップ部３の表面及び前記クリップ部３の裏面を光沢面とし、前記筒体２の外面が着色されてなることにより、クリップ部３の頂部３１の両側に、一層明確な帯状の鏡面光沢Ｓが視認できる。尚、前記裏面のフラット面３３と表面の傾斜面３２とのなす角度α,βは、帯状の鏡面光沢Ｓが容易に視認できる点で３０度以上が好ましい。
【００２４】
本願の第８の発明は、キャップまたは筆記具本体からなる筒体２の外面に軸方向に延びるクリップ部３を設けた筆記具であって、前記クリップ部３が無色透明の合成樹脂からなり、前記クリップ部３の横断面が略釣鐘形状を有し、前記クリップ部３の表面が、凸曲面状の頂部３１と、該頂部３１の両側に連設され且つ径方向内方に向かうに従い互いに離隔する凹曲面状の傾斜面３２とを備え、前記クリップ部３の裏面がフラット面３３を備え、前記裏面のフラット面３３と前記表面の傾斜面３２とのなす角度α,βを８０度以下に設定し、前記クリップ部３の表面及び前記クリップ部３の裏面を光沢面とし、前記筒体２の外面が着色されてなること（請求項８）を要件とする。（図１、図２、及び図５参照）
【００２５】
前記第８の発明の筆記具１は、クリップ部３が無色透明の合成樹脂からなり、クリップ部３の横断面が略釣鐘形状を有し、クリップ部３の表面が、凸曲面状の頂部３１と、該頂部３１の両側に連設され且つ径方向内方に向かうに従い互いに離隔する凹曲面状の傾斜面３２とを備え、クリップ部３の裏面がフラット面３３を備えた構成により、クリップ部３を正面視したとき、クリップ部３の頂部３１の両側（即ち一対の傾斜面３２）に、光の反射及び屈折によって、一対の軸方向に延びる帯状の鏡面光沢Ｓを視認できる（図１参照・斜線部分は帯状の鏡面光沢Ｓを示す）。それにより、表面や裏面に着色を施さない場合であっても、存在感のある外観を呈する透明合成樹脂製のクリップ部３を得る。尚、本願発明と異なる構成（例えば、図６に示すように、クリップ部の頂部４を角状とした場合や、図７に示すように、クリップ部の頂部５を平面状とした場合）では、クリップ部３を正面視したとき、クリップ部３の頂部３１の両側に帯状の鏡面光沢Ｓを視認できない。
【００２６】
さらに、前記第８の発明の筆記具１は、前記裏面のフラット面３３と前記表面の傾斜面３２とのなす角度α,βを８０度以下に設定し、前記クリップ部３の表面及び前記クリップ部３の裏面を光沢面とし、前記筒体２の外面が着色されてなることにより、クリップ部３の頂部３１の両側に、一層明確な帯状の鏡面光沢Ｓが視認できる。尚、前記裏面のフラット面３３と表面の傾斜面３２とのなす角度α,βは、帯状の鏡面光沢Ｓが容易に視認できる点で３０度以上が好ましい。
【００２７】
尚、前記第１の発明乃至第８の発明で、前記クリップ部３を構成する無色透明の合成樹脂は、例えば、ポリカーボネイト樹脂、ポリエチレンテレフタレート樹脂、ポリアミド系樹脂、ＡＢＳ樹脂、アクリル樹脂等が挙げられる。
【００２８】
尚、前記第１の発明乃至第８の発明で、前記筒体２は、例えば、一端にペン先を備え且つ内部にインキが収容された筆記具本体、筆記具本体のペン先側に着脱自在のキャップ、筆記具本体の反ペン先側端部に取り付けられる尾冠、またはキャップの閉鎖側端部に取り付けられる頭冠等の筆記具用部品が挙げられる。
【００２９】
尚、前記第４の発明乃至第８の発明で、筒体２の外面は、筆記具本体に内蔵されるインキの色に着色されることが、インキ色を容易に識別できる点で好ましい。
【発明の効果】
【００３０】
本発明の筆記具によれば、クリップ部を正面視したとき、クリップ部の頂部の両側に、光の反射及び屈折によって軸方向に延びる帯状の鏡面光沢を視認でき、それにより、表面や裏面に着色を施さない場合であっても、存在感のある外観を呈する透明合成樹脂製のクリップ部を得る。
【発明を実施するための最良の形態】
【００３１】
＜第１の実施の形態＞
本発明の筆記具１の第１の実施の形態を図１乃至図３に示す。
本実施の形態の筆記具１は、キャップまたは筆記具本体を構成する筒体２と、該筒体２の外面に設けられるクリップ部３とを備える。
【００３２】
・筒体
前記筒体２は、合成樹脂の射出成形から得られる円筒状部材からなる。前記筒体２の外面は、筆記具本体に内蔵されたインキの色と略同色に着色されている。具体的には、前記筒体２は、筆記具本体に内蔵するインキの色に着色された不透明の合成樹脂、または、筆記具本体に内蔵するインキの色に着色された着色透明の合成樹脂により形成される。尚、前記筒体２は、無色透明のクリップ部３と背部の着色された筒体２とのコントラストにより、クリップ部３の頂部３１の両側に、帯状の鏡面光沢Ｓが一層際立って視認される点で、不透明の合成樹脂により形成されることが好ましい。
【００３３】
・クリップ部
前記クリップ部３は、無色透明の合成樹脂の射出成形により得られる。前記クリップ部３は、筒体２の外面に、圧入、嵌合、係合、溶着、接着、２色成形等の手段により設けられる。前記無色透明の合成樹脂は、例えば、ポリカーボネイト樹脂、ポリエチレンテレフタレート樹脂、ポリアミド系樹脂、ＡＢＳ樹脂、アクリル樹脂等が挙げられる。
【００３４】
前記クリップ部３は、軸方向に延設され、前端近傍の裏面に玉部３４が突出され、後端に基部３５が形成される。前記クリップ部３は、前記基部３５を介して、筒体２の外面に接続され、径方向にたわみ変形可能である。
【００３５】
前記クリップ部３の表面が、軸方向に延びる凸曲面状の頂部３１と、該頂部３１の両側に連設され且つ径方向内方に向かうに従い互いに離隔する、軸方向に延びるテーパ状平面よりなる傾斜面３２とを備える。前記クリップ部３の裏面が、軸方向に延びるフラット面３３を備える。前記クリップ部３は、横断面が略三角形状を有する。前記裏面のフラット面３３と前記表面の傾斜面３２とのなす角度α,βを３０度〜８０度（好ましくは３０度〜７５度以下）に設定した。また、前記クリップ部３の表面及び前記クリップ部３の裏面を光沢面とした。
【００３６】
本実施の形態の筆記具によれば、クリップ部３を正面視したとき、クリップ部３の両側縁部（即ち頂部３１の両側）に、光の反射及び屈折によって、一対の軸方向に延びる帯状の鏡面光沢Ｓを視認できる。それにより、表面や裏面に着色を施さない場合であっても、存在感のある外観を呈する透明合成樹脂製のクリップ部３を得る。
【００３７】
＜第２の実施の形態＞
本発明の筆記具１の第２の実施の形態を図１、図２、及び図４に示す。
本実施の形態の筆記具１は、キャップまたは筆記具本体を構成する筒体２と、該筒体２の外面に設けられるクリップ部３とを備える。
【００３８】
・筒体
前記筒体２は、合成樹脂の射出成形から得られる円筒状部材からなる、前記筒体２の外面は、筆記具本体に内蔵されたインキと略同色に着色されている。具体的には、前記筒体２は、筆記具本体に内蔵するインキの色に着色された不透明の合成樹脂、または、筆記具本体に内蔵するインキの色に着色された着色透明の合成樹脂により形成される。尚、前記筒体２は、無色透明のクリップ部３と背部の着色された筒体２とのコントラストにより、クリップ部３の頂部３１の両側に、帯状の鏡面光沢Ｓが一層際立って視認される点で、不透明の合成樹脂により形成されることが好ましい。
【００３９】
・クリップ部
前記クリップ部３は、無色透明の合成樹脂の射出成形により得られる。前記クリップ部３は、筒体２の外面に、圧入、嵌合、係合、溶着、接着、２色成形等の手段により設けられる。前記無色透明の合成樹脂は、例えば、ポリカーボネイト樹脂、ポリエチレンテレフタレート樹脂、ポリアミド系樹脂、ＡＢＳ樹脂、アクリル樹脂等が挙げられる。
【００４０】
前記クリップ部３は、軸方向に延設され、前端近傍の裏面に玉部３４が突出され、後端に基部３５が形成される。前記クリップ部３は、前記基部３５を介して、筒体２の外面に接続され、径方向にたわみ変形可能である。
【００４１】
前記クリップ部３の表面が、軸方向に延びる凸曲面状の頂部３１と、該頂部３１の両側に連設され且つ径方向内方に向かうに従い互いに離隔する、軸方向に延びる凸曲面状の傾斜面３２とを備える。前記クリップ部３の裏面が、軸方向に延びるフラット面３３を備える。前記クリップ部３は、横断面が略半月形状を有する。前記裏面のフラット面３３と前記表面の傾斜面３２とのなす角度α,βを３０度〜８９度（好ましくは３０度〜８５度以下）に設定した。また、前記クリップ部３の表面及び前記クリップ部３の裏面を光沢面とした。
【００４２】
本実施の形態の筆記具１によれば、クリップ部３を正面視したとき、クリップ部３の両側縁部（即ち頂部３１の両側）に、光の反射及び屈折によって軸方向に延びる、一対の帯状の鏡面光沢Ｓを視認できる。それにより、表面や裏面に着色を施さない場合であっても、存在感のある外観を呈する透明合成樹脂製のクリップ部３を得る。
【００４３】
＜第３の実施の形態＞
本発明の筆記具１の第３の実施の形態を図１、図２、及び図５に示す。
本実施の形態の筆記具１は、キャップまたは筆記具本体を構成する筒体２と、該筒体２の外面に設けられるクリップ部３とを備える。
【００４４】
・筒体
前記筒体２は、合成樹脂の射出成形から得られる円筒状部材からなる。前記筒体２の外面は、筆記具本体に内蔵されたインキと略同色に着色されている。具体的には、前記筒体２は、筆記具本体に内蔵するインキの色に着色された不透明の合成樹脂、または、筆記具本体に内蔵するインキの色に着色された着色透明の合成樹脂により形成される。尚、前記筒体２は、無色透明のクリップ部３と背部の着色された筒体２とのコントラストにより、クリップ部３の頂部３１の両側に、帯状の鏡面光沢Ｓが一層際立って視認される点で、不透明の合成樹脂により形成されることが好ましい。
【００４５】
・クリップ部
前記クリップ部３は、無色透明の合成樹脂の射出成形により得られる。前記クリップ部３は、筒体２の外面に、圧入、嵌合、係合、溶着、接着、２色成形等の手段により設けられる。前記無色透明の合成樹脂は、例えば、ポリカーボネイト樹脂、ポリエチレンテレフタレート樹脂、ポリアミド系樹脂、ＡＢＳ樹脂、アクリル樹脂等が挙げられる。
【００４６】
前記クリップ部３は、軸方向に延設され、前端近傍の裏面に玉部３４が突出され、後端に基部３５が形成される。前記クリップ部３は、前記基部３５を介して、筒体２の外面に接続され、径方向にたわみ変形可能である。
【００４７】
前記クリップ部３の表面が、軸方向に延びる凸曲面状の頂部３１と、該頂部３１の両側に連設され且つ径方向内方に向かうに従い互いに離隔する、軸方向に延びる凹曲面状の傾斜面３２とを備える。前記クリップ部３の裏面が、軸方向に延びるフラット面３３を備える。前記クリップ部３は、横断面が略釣鐘形状を有する。前記裏面のフラット面３３と前記表面の傾斜面３２とのなす角度α,βを３０度〜８０度（好ましくは３０度〜７５度）に設定した。また、前記クリップ部３の表面及び前記クリップ部３の裏面を光沢面とした。
【００４８】
本実施の形態の筆記具１によれば、クリップ部３を正面視したとき、クリップ部３の両側縁部（即ち頂部３１の両側）に、光の反射及び屈折によって軸方向に延びる、一対の帯状の鏡面光沢Ｓを視認できる。それにより、表面や裏面に着色を施さない場合であっても、存在感のある外観を呈する透明合成樹脂製のクリップ部３を得る。
【図面の簡単な説明】
【００４９】
【図１】本発明筆記具の第１乃至第３の実施の形態を示す要部正面図である。
【図２】図１の側面図である。
【図３】第１の実施の形態の場合の図１のＡ−Ａ線拡大断面図である。
【図４】第２の実施の形態の場合の図１のＡ−Ａ線拡大断面図である。
【図５】第３の実施の形態の場合の図１のＡ−Ａ線拡大断面図である。
【図６】クリップ部の比較例を示す要部横断面図である。
【図７】クリップ部の比較例を示す要部横断面図である。
【符号の説明】
【００５０】
１  筆記具
２  筒体
３  クリップ部
３１  頂部
３２  傾斜面
３３  フラット面
３４  玉部
３５  基部
４  頂部
５  頂部
Ｓ  帯状の鏡面光沢
α  フラット面と傾斜面とのなす角度
β  フラット面と傾斜面とのなす角度
【図１】
2009107253.tif 000003
【図２】
2009107253.tif 000004
【図３】
2009107253.tif 000005
【図４】
2009107253.tif 000006
【図５】
2009107253.tif 000007
【図６】
2009107253.tif 000008
【図７】
2009107253.tif 000009